(57)【特許請求の範囲】
【請求項１】
切削機をコンクリート管路内へ発進させると共に切削機の進行方向後方に回収箱を連結し、供用下で切削機によりコンクリート管路の内壁面を切削し、切削により生じた切削屑を前記回収箱に回収することを特徴とするコンクリート管路内壁面の切削方法。
【請求項２】
切削機を装置発進側の立坑に設けた台枠上において組立てる請求項１に記載のコンクリート管路内壁面の切削方法。
【請求項３】
回収箱に回収された切削屑を管路を介し装置発進側の立坑に設けた別の回収箱に回収し、該別の回収箱に回収された切削屑を洗浄し、該別の回収箱で切削屑から分離した水をコンクリート管路内に戻す請求項１又は２に記載のコンクリート管路内壁面の切削方法。
【請求項４】
装置到達側の立坑に設けたウインチ装置により繰出したワイヤロープを切削機が流されないよう切削機に接続した請求項１、２又は３に記載のコンクリート管路内壁面の切削方法。
【請求項５】
コンクリート管路内へ発進されて供用中にコンクリート管路の内壁面を切削し得るようにした走行可能な切削機と、該切削機の後方に連結され切削機により切削されて生じた切削屑を回収するための回収箱とを備えたことを特徴とするコンクリート管路内壁面の切削装置。
【請求項６】
回収箱に回収されて管路を介して送給されて来た切削屑を回収し得るよう装置発進側の立坑に設けられた別の回収箱と、該別の回収箱に回収された切削屑を洗浄する手段と、前記別の回収箱で切削屑から分離した水をコンクリート管路内に戻す手段とを備えた請求項５に記載のコンクリート管路内壁面の切削装置。
【請求項７】
装置到達側の立坑に、切削機が流されないようワイヤロープを前記切削機に接続し得るようにしたウインチ装置を設けた請求項５又は６に記載のコンクリート管路内壁面の切削装置。
【発明の詳細な説明】
【０００１】
【発明の属する技術分野】
本発明は、コンクリート管路の補修、再生に際し供用下でコンクリート管路の内壁面を切削し得るようにすると共に発生した切削屑を回収し得るようにしたコンクリート管路内壁面の切削方法及び切削装置に関するものである。
【０００２】
【従来の技術】
例えば、下水管路等のコンクリート管路は、硫化水素のような気体が含まれる雰囲気に曝されているため、コンクリート内壁面には経年的に劣化が生じる。このため、コンクリート内壁面の劣化した部分は、下水の流れを止めることなく供用下で補修し再生することが必要となり、この補修及び再生に先立って劣化したコンクリート内壁面は切削し除去しなければならない。
【０００３】
【発明が解決しようとする課題】
しかしながら、従来コンクリート管路の供用下の補修、再生は、流水のためのバイパス管路の確保が可能な比較的小口径のコンクリート管路には適用できても、バイパス管路のない大口径のコンクリート管路に対しては適用できない。従って、従来は大口径のコンクリート管路は補修、再生を行うことができず、劣化が生じてもそのまま放置されているのが実情である。
【０００４】
又、小口径のコンクリート管路の補修、再生の際にも、適当な切削手段がないため内壁面全周を均一に切削、除去することは行われておらず、劣化した壁面の表面を新たな材料で覆うようにしている。従って、補修、再生後のコンクリート管路の断面積は補修前の断面積よりも小さくなり、排水能力が低下するという問題がある。
【０００５】
本発明は、上述の実情に鑑み、供用下で小口径、大口径何れのコンクリート管路の内壁面の補修、再生をも行い得るようにすると共に、補修後のコンクリート管路の断面積を補修前の断面積と同様にするか或いは大きくするため予めコンクリート管路の内壁面を全周に亘り切削、除去し得るようにすることを目的としてなしたものである。
【０００６】
【課題を解決するための手段】
本発明のコンクリート管路内壁面の切削方法は、切削機をコンクリート管路内へ発進させると共に切削機の進行方向後方に回収箱を連結し、供用下で切削機によりコンクリート管路の内壁面を切削し、切削により生じた切削屑を前記回収箱に回収するものである。
【０００７】
又、本発明の方法では、切削機を装置発進側の立坑に設けた台枠上において組立てるようにする。
【０００８】
更に、本発明の方法では、回収箱に回収された切削屑を管路を介し装置発進側の立坑に設けた別の回収箱に回収し、該別の回収箱に回収された切削屑を洗浄し、該別の回収箱で切削屑から分離した水をコンクリート管路内に戻すようにすると良い。
【０００９】
又本発明の方法では、装置到達側の立坑に設けたウインチ装置により繰出したワイヤロープを切削機が流されないよう切削機に接続すると良い。
【００１０】
本発明のコンクリート管路内壁面の切削装置は、コンクリート管路内へ発進されて供用中にコンクリート管路の内壁面を切削し得るようにした走行可能な切削機と、該切削機の後方に連結され切削機により切削されて生じた切削屑を回収するための回収箱とを備えたものである。
【００１１】
又本発明の装置では、回収箱に回収されて管路を介して送給されて来た切削屑を回収し得るよう装置発進側の立坑に設けられた別の回収箱と、該別の回収箱に回収された切削屑を洗浄する手段と、前記別の回収箱で切削屑から分離した水をコンクリート管路内に戻す手段とを備えるようにすると良い。
【００１２】
更に本発明の装置では、装置到達側の立坑に、切削機が流されないようワイヤロープを前記切削機に接続し得るようにしたウインチ装置を設けるようにすると良い。
【００１３】
本発明においては、水の流れている供用下においてもコンクリート管路の内壁面を全周に亘り切削することができ、且つ補修、再生後のコンクリート管路の縦断面積が補修前よりも小さくなることがなく、従って排水能力を確保することが可能となる。
【００１４】
又切削機を装置発進側の立坑に設けた台枠上において組立てた場合には、前記立坑の天板に設ける開口を分解された切削機の部品が通る程度の小さい大きさとすることができ、従って前記天板の上面を使用したままコンクリート管路の補修を行うことができる。
【００１５】
【発明の実施の形態】
以下、本発明の実施の形態を添付図面を参照しつつ説明する。
【００１６】
図１〜図１５は本発明のコンクリート管路内壁面の切削方法及び切削装置の実施の形態の一例を示す。図１〜３中、１は内部を矢印イ方向へ下水２が流れる断面形状が円筒形状のコンクリート管路、３，４はコンクリート管路１の軸心方向へ所要の間隔で設けられた立坑、５，６は立坑３，４の上端を閉塞すると共に機器搬入或いは搬出のための開口７，８が設けられるようにした天板であり、本実施の形態例においては、立坑４は立坑３よりも下水２の流れ方向に対し上流側に位置している。
【００１７】
９，１０は立坑３，４内に設置した装置発進側Ａ或いは装置到達側Ｂの架台、１１，１２は架台９，１０の上部に設置した作業用クレーン、１３，１４は架台９，１０の支柱９ａ,１０ａに下水２の水面よりも若干上方位置において垂直面に対し回動し得るよう枢支された装置発進用或いは装置回収用の台枠、１５，１６は台枠１３，１４を垂直面に対し回動させるために架台９，１０に設置したホイスト装置である。而してホイスト装置１５によりチェーンを巻下げることにより、台枠１３は下水２の流れ方向上流側が没水するよう傾斜し得るようになっており、ホイスト装置１６によりチェーンを巻下げることにより、台枠１４は下水２の流れ方向下流側が没水するよう傾斜し得るようになっている。
【００１８】
１７は油圧パワーユニットや制御盤を搭載して装置発進側Ａの架台９側から装置到達側Ｂの架台１０側へ移動し得るようにした移動可能な台車、１８はコンクリート管路１内を台車１７と一緒に移動し得ると共にコンクリート管路１の内壁面を切削するようにした自走可能な切削機、１９は台車１７と切削機１８を連結するための連結桿、２０は切削機１８により牽引されてコンクリート管路１内を移動しつつ切削機１８により切削されてコンクリート管路１の底面に落下した切削屑２１を回収するようにした回収箱、２２は切削機１８と回収箱２０を連結するための連結桿である。切削機１８の動力等は台車１７側から供給されるようになっている。
【００１９】
回収箱２０の側面形状は図１に示すごとく、切削機１８側が開口したちり取り状に形成されていると共に、図２に示すごとく、回収箱２０はコンクリート管路１の軸心方向から見て、内壁面を切削されたコンクリート管路１の内径と略同一の外径に形成されており、且つコンクリート管路１の内壁面下部に対し摺動し得るようになっている。又回収箱２０における背面の網部のメッシュは切削屑２１が回収箱２０からこぼれない程度に形成されている。
【００２０】
２３は装置発進側Ａの架台９に載置され、切削屑２１を下水２と共に回収し回収された切削屑２１を洗浄し消毒するための装置を備えた回収箱、２４は回収箱２０に回収された切削屑２１を吸引ホース２５を介し下水２と共に吸引し回収箱２３へ供給するようにした吸引ポンプ、２６は開閉弁２７を備えると共に回収箱２３内に設置したフィルターにより切削屑の除去された水をコンクリート管路１内へ戻し得るようにした排水管である。
【００２１】
２８は装置発進側Ａの架台９上部に設置され、台車１７の油圧パワーユニットや制御盤等へ電力を送るケーブル及びその他の作業に用いるケーブルを供給し得るようにしたケーブルリールである。又、図示してないが、装置発進側Ａの架台９には給電用の電源設備や冷却水設備が設置されている。更に、装置到達側Ｂの架台１０には図示してないがウインチ装置が設置され、コンクリート管路１内の台車１７や切削機１８が作業時或いは待機時に下水２の流れにより流されないようウインチ装置から繰出されたワイヤロープを台車１７に接続するようになっている。
【００２２】
切削機１８の詳細は図４〜図１０に示されている。すなわち、走行フレーム２９には、切削機１８がスリップすることなく円滑にコンクリート管路１内を前進し得るよう、走行面がコンクリート管路１の内壁面に接触し得るようにした左右一対の無端履帯状のクローラ３０が、左右でハの字を形成するごとく設けられており、走行フレーム２９上には切削機１８の走行方向Ｄと平行に延在するよう断面形状が角形状の主フレーム３１が設けられている。
【００２３】
主フレーム３１の走行方向Ｄに対し後端側には、断面形状が角筒状の摺動フレーム３２が流体圧ジャッキ３３により走行方向Ｄと平行な方向へ摺動し得るよう外嵌されており、摺動フレーム３２の走行方向Ｄ後端部には、コンクリート管路１の径方向へ拡大する支持板３４が固設されている。主フレーム３１及び摺動フレーム３２は角筒状であるため、摺動フレーム３２が主フレーム３１に対し回動することはない。
【００２４】
支持板３４の後面には、主フレーム３１や摺動フレーム３２の軸心Ｌ１と同心になるよう配設した旋回軸受の内輪３５が回転しないよう固設され、内輪３５に対し回転自在に外嵌した外輪３６には軸心方向から見た形状が略円環状の旋回フレーム３７が取付けられている。
【００２５】
旋回フレーム３７には、図５に示すごとく軸心方向から見ると放射状となるよう複数組（図５では６組）のカッターユニット３８が装着されており、カッターユニット３８は、フレーム３９内に格納した流体圧ジャッキ４０によりブラケット４１を介しコンクリート管路１の径方向外方へ移動し、コンクリート管路１内壁面に当接してコンクリート管路１の内壁面を圧壊により切削するようにしたローラカッター４２を備えている。ローラカッター４２は１箇所当り複数の刃を有し且つローラカッター４２の回転軸心Ｌ２はコンクリート管路１の径方向外方へ行くに従い切削機１８の走行方向Ｄ後方へ向くよう傾斜している。このようにするのは、ローラカッター４２によるコンクリート管路１の内壁面の切削を円滑に行うと共に切削時にローラカッター４２が回転軸心Ｌ２に対して確実に回転し得るようにするためである。
【００２６】
支持板３４における切削機１８の走行方向Ｄ前面には、油圧モータのごとき駆動装置４３が設置され、駆動装置４３の出力軸に外嵌したピニオン４４は旋回軸受における外輪３６の外周に刻設したギア４５に噛合している。而して、駆動装置４３を駆動することにより、旋回フレーム３７が軸心Ｌ１に対して回転し、その結果、ローラカッター４２は軸心Ｌ１に対し回転すると共に回転軸心Ｌ２に対し回転し、コンクリート管路１の内壁面を切削し得るようになっている。
【００２７】
主フレーム３１には、切削作業時に切削反力を支持して切削機１８が動かないようにするための複数のアウトリガー４６とグリッパー４７が、軸心方向へ所要の間隔で設けられている。而して、主フレーム３１における軸心方向の各位置におけるアウトリガー４６は、図６に示すごとく、主フレーム３１の軸心方向から見て左右一対でハの字状になるように配置されると共に流体圧ジャッキ４８によりコンクリート管路１の径方向へ進退動してコンクリート管路１の内壁面に面接触し得るようにしたシュー４９を備えている。
【００２８】
又主フレーム３１における軸心方向の各位置におけるグリッパー４７は、図６に示すごとく、主フレーム３１の軸心方向から見て左右一対で逆ハの字状になるよう配置されると共に流体圧ジャッキ５０によりコンクリート管路１の径方向へ進退動してコンクリート管路１の内壁面に面接触し得るようにしたシュー５１を備えている。
【００２９】
旋回フレーム３７には、図８、９に示すごとく切削機１８の走行方向Ｄ後方側に位置してコンクリート管路１の内壁面の切削作業時に切削機１８が振動するのを防止し得るよう、旋回フレーム３７の円周方向へ所要の間隔で複数組のローラユニット５２が設けられている。すなわち、各ローラユニット５２においては、旋回フレーム３７の後方へ向け突出するよう旋回フレーム３７にブラケット５３が固設され、各ブラケット５３には、旋回フレーム３７の旋回方向へ向け所要の間隔で２個の円筒形状のガイド部材５４が設けられ、ガイド部材５４には、旋回フレーム３７の径方向へ進退動し得るようロッド５５が嵌入されている。
【００３０】
２本のロッド５５の旋回フレーム３７径方向外方側先端には、ロッド５５をつなぐがごとく支持板５６が固設され、支持板５６に装着したブラケット５７には、回転軸心Ｌ３が主フレーム３１や摺動フレーム３２の軸心Ｌ１と平行となるよう振動防止ローラ５８が回転自在に枢着されている。
【００３１】
ロッド５５のガイド部材５４と支持板５６との間には、振動防止ローラ５８をコンクリート管路１側へ付勢するためのコイルバネ５９が巻装されており、又ガイド部材５４と支持板５６との間には、ロッド５５間に位置するよう、マグネスケール等の長さ検出器６０が取付けられ、振動防止ローラ５８がコンクリート管路１の内壁面に接触することにより、切削されたコンクリート管路１の内径を検出し得るようになっている。
【００３２】
支持板３４には、図１０に示すごとくカッターユニット３８の回転角を検出するための角度検出器６１が駆動装置４３とは異なる位置に設置され、角度検出器６１の出力軸に外嵌したピニオン６２は旋回軸受の旋回可能な外輪３６に刻設したギア４５に噛合している。而して、角度検出器６１により所定のカッターユニット３８のコンクリート管路１円周方向に対する位置を検出し得るようになっている。
【００３３】
なお、図４、７中、６３は図１に示す回収箱２０を切削機１８に連結するための主フレーム３１の後端に固設したブラケット、６４はローラカッター４２に冷却水を噴射する冷却水噴射手段である。
【００３４】
次に、本発明の実施の形態においてコンクリート管路１の内壁面を切削し、切削した切削屑２１を回収し処理するための作業手段について説明する。
【００３５】
装置発進側Ａ及び装置到達側Ｂの天板５，６に夫々機器搬入、搬出のための開口７，８を形成する。立坑３，４上部の天板５，６上面はすでに公の供用地として使用されているため開口７，８の大きさはできるだけ小さいものとする。
【００３６】
開口７，８から材料を立坑３，４内に搬入して架台９，１０を組立てると共に架台９，１０の上部梁に作業用クレーン１１，１２を設置し、架台９，１０下部に装置組立用の台枠１３及び装置解体用の台枠１４をホイスト装置１５，１６により垂直面を回動し得るよう取付ける。
【００３７】
又、立坑３内には、図示してない電源設備や冷却水設備を用意し、切削屑回収用の回収箱２３及びその付帯設備、洗浄設備、消毒設備等必要な各種機器、ケーブルリール２８を適宜設置する。これら、機器類は全て開口７から立坑３内へ搬入される。
【００３８】
開口７を通過する大きさに分解されている台車１７を構成する部材、油圧パワーユニット、制御盤等の各機材は、開口７から立坑３内へ搬入され、ホイスト装置１５により水平に保持されている台枠１３上に作業用クレーン１１等を用いて下降させられ、台枠１３上で所定の状態に組立てられる（図１２参照）。
【００３９】
台枠１３上において台車１７が組立てられると共に台車１７に必要な機器が搭載されると、ホイスト装置１５からチェーンを繰出して台枠１３を枢支点を基準として回動させ、台枠１３の下水２の流れ方向に対して上流側の端部がコンクリート管路１の底面に着床するよう台枠１３を傾斜させ、台車１７を自走等適宜の手段により発進させて下水２の流れているコンクリート管路１内に所定位置まで搬入する。
【００４０】
次に、開口７を通過する大きさに分解されている切削機１８の各機器は、開口７から立坑３内へ搬入され、ホイスト装置１５により水平に保持されている台枠１３上に作業用クレーン１１等を用いて下降させられ、台枠１３上で所定の状態に組立てられる（図１３参照）。
【００４１】
台枠１３上において切削機１８が組立てられたら、ホイスト装置１５からチェーンを繰出して台枠１３を台枠１３の下水２の流れ方向に対して上流側の端部がコンクリート管路１の底面に着床するよう台枠１３を傾斜させ、切削機１８を自走等適宜の手段により発進させて、下水２の流れているコンクリート管路１内に所定位置まで搬入し、台車１７と切削機１８とを連結桿１９により連結する（図１参照）。切削機１８をコンクリート管路１内へ搬入する際には、アウトリガー４６やグリッパー４７のシュー４９，５１はコンクリート管路１の内壁面に接触しないようになっており、ローラカッター４２もコンクリート管路１の内壁面から離反している。
【００４２】
次に同様にして台枠１３上で回収箱２０を組立て台枠１３を傾斜させた状態で回収箱２０をコンクリート管路１内へ搬入し、切削機１８と回収箱２０を連結桿２２で連結する（図１参照）。
【００４３】
又台車１７の油圧パワーユニットや制御盤及び切削機１８の必要機器にケーブルリール２８に巻取られているケーブルを接続し、切削機１８の冷却水噴射手段６４に冷却水ホースを接続する。更に先端を回収箱２０内に挿入した吸引ホース２５を吸引ポンプ２４に接続する。
【００４４】
台車１７及び切削機１８を自走等によりコンクリート管路１内を走行させ、切削機１８を切削すべきコンクリート管路１の内壁面の位置まで移動させる。この際、回収箱２０は切削機１８により牽引される。台車１７は自走する切削機１８により押すことにより移動させても良い。
【００４５】
切削機１８は、クローラ３０によりコンクリート管路１内を走行するため、供用下においてぬめりのあるコンクリート管路１内をスリップせずに円滑に移動できる。
【００４６】
切削機１８が所定位置まで移動したら、アウトリガー４６の流体圧ジャッキ４８を作動させてシュー４９をコンクリート管路１における内壁面下部側に左右でハの字状になるよう接触させると共にグリッパー４７の流体圧ジャッキ５０を作動させてシュー５１をコンクリート管路１における内壁面上部側に左右で逆ハの字になるよう接触させ、切削機１８を、クローラ３０がコンクリート管路１の内壁面から離反した状態でコンクリート管路１内に固定する。
【００４７】
コンクリート管路１内の下水２が流れている内壁面は劣化してないため、アウトリガー４６のストロークエンドまで延ばせば、切削機１８の旋回フレーム３７の旋回中心は、コンクリート管路１の軸心と合致するようにしてあるため、旋回フレーム３７のコンクリート管路１に対する心合せは容易且つ確実に行われる。
【００４８】
切削機１８がコンクリート管路１内に固定されたら流体圧ジャッキ３３をストロークエンドまで延ばして摺動フレーム３２を主フレーム３１に対し最後方まで移動させ、切削作業時にローラカッター４２が最大ストロークの範囲で切削を行い得るようセットする。又この際、ローラユニット５２の振動防止ローラ５８はコイルバネ５９により付勢されてコンクリート管路１の内壁面に当接している。
【００４９】
次にカッターユニット３８の流体圧ジャッキ４０を作動させてローラカッター４２をコンクリート管路１の径方向に対して規程半径まで延ばし、ローラカッター４２の先端をコンクリート管路１の切削すべき内壁面に近接させ、しかる後駆動装置４３を駆動する。このため、ピニオン４４によりギア４５を介して外輪３６が回転し、旋回フレーム３７がコンクリート管路１の軸心に対して回転する。
【００５０】
そうすると、ローラカッター４２は、コンクリート管路１の軸心に対し回転を開始するため、流体圧ジャッキ３３を切削機１８の前方側（切削方向）へ引き、ローラカッター４２の先端によりコンクリート管路１における内壁面の切削すべき端面に力を与え、内壁面の切削を行う。１回で切削する範囲は例えば図４に示すＳとなる。
【００５１】
切削の際には、ローラカッター４２の過熱を防止するため冷却水噴射手段６４によりローラカッター４２には冷却水が噴射される。又各流体圧ジャッキや駆動装置への油圧の供給は台車１７に搭載した油圧パワーユニットにより行われる。
【００５２】
ローラカッター４２によりコンクリート管路１の内壁面が規定距離（図４のＳ）切削されたら、引続き駆動装置４３により旋回フレーム３７を回転させつつ図９に示す長さ検出器６０を用いてコンクリート管路１における内壁面の切削箇所の内径を測定し、又、図１０に示す角度検出器６１によりコンクリート管路１の内径を測定した位置を検出する。測定した結果は計測記録として残す。
【００５３】
所定箇所でのコンクリート管路１が所定寸法に切削されたら、流体圧ジャッキ４０によりローラカッター４２をコンクリート管路１の内壁面側から離反させ、アウトリガー４６及びグリッパー４７の流体圧ジャッキ４８，５０によりシュー４９，５１をコンクリート管路１の内壁面から離反させ、クローラ３０をコンクリート管路１の内壁面に着床させ、クローラ３０により切削機１８を更にコンクリート管路１に対して規定距離前進させる（盛替え）。而して、切削機１８が次の場所へ移動したら次の切削場所において前述と同様の手順によりコンクリート管路１の内壁面が切削される。
【００５４】
コンクリート管路１の内壁面は切削前は図１１に実線ロで示す状態となっているが、切削後は仮想線ハで示すごとく円形となる。次の切削のために切削機１８を移動させる場合には、ケーブルリール２８から更にケーブルを繰出し、吸引ホース２５は継ぎたして長くする。吸引ホース２５は、立坑３内に設置したホースリール等により延伸させるようにしても良い。
【００５５】
切削機１８により切削されてコンクリート管路１の底面に落下した切削屑２１は下水２により流れて回収箱２０に回収されるか、或いは切削機１８が次の切削箇所へ前進する際に回収箱２０に回収される。
【００５６】
回収箱２０に回収された切削屑２１は吸引ポンプ２４を駆動することにより下水２と共に吸引ホース２５に吸引され、吸引ホース２５、吸引ポンプ２４を通って回収箱２３へ供給され、ここで洗浄手段や消毒手段により洗浄、消毒される。水は回収箱２３のフィルターにより切削屑を除去され、開閉弁２７を開くことにより排水管２６を通ってコンクリート管路１内へ戻される。
【００５７】
切削機１８により装置発進側Ａ側から装置到達側Ｂまで計画区間のコンクリート管路１における内壁面の切削が終了したら、装置到達側Ｂの立坑４において、台枠１４を下水２の流れ方向へ向け傾斜させ、台車１７を台枠１４上に回収し（図１４参照）、台枠１４を水平な状態にして台車１７及び搭載機器を解体し、開口８を通して撤去する。
【００５８】
切削機１８も同様にして台枠１４に回収し（図１５参照）、解体し開口８から撤去する。又立坑３，４内の作業用クレーン１１，１２、架台９，１０等も順次解体して開口７，８から搬出し、最終的には開口７，８を閉塞する。
【００５９】
本発明の実施の形態によれば供用下で小口径、大口径何れのコンクリート管路内壁面をも補修、再生することができ、又その際コンクリート管路の内壁面を全周に亘り切削、除去したうえ補修することができる。このため補修、再生後の流路断面積は補修前よりも小さくなることがなく、排水能力の確保が可能である。
【００６０】
なお、下水の流速が早く、切削機等が流されるおそれがある場合には、装置到達側の立坑内に設けたウインチ装置のワイヤを切削機に接続し、切削機等が流されないようにする。又、本発明の実施の形態は水が下水の場合に適用されるだけではなく、種々の流水に対しても適用できる。更に油圧パワーユニットや制御盤は切削機に搭載し台車を設けないようにすることもできる。
【００６１】
【発明の効果】
本発明のコンクリート管路内壁面の切削方法及び切削装置によれば、請求項１〜７の何れにおいても供用下で小口径から大口径に至るコンクリート管路の内壁を補修、再生することができ、又コンクリート管路の内壁面を全周に亘り切削、除去したうえ補修することができるため、補修、再生後の流路断面積は補修前よりも小さくなることがなく、従って排水能力を確保することができ、更に請求項２の場合は立坑上の天板の開口を小さくすることができるため、天板上面の供用に支障が生ずることがない、等種々の優れた効果を奏し得る。
【図面の簡単な説明】
【図１】本発明のコンクリート管路内壁面の切削方法及び切削装置に適用される装置の概要を示す側面図である。
【図２】図１のＩＩ−ＩＩ方向矢視拡大図である。
【図３】図１のＩＩＩ−ＩＩＩ方向矢視図である。
【図４】本発明のコンクリート管路内壁面の切削方法及び切削装置に適用する切削機の側面図である。
【図５】図４のＶ−Ｖ方向矢視図である。
【図６】図４のＶＩ−ＶＩ方向矢視図である。
【図７】図４のＶＩＩ−ＶＩＩ方向矢視図である。
【図８】切削機に用いる振動防止用のローラユニットの縦断面図である。
【図９】図８のＩＸ−ＩＸ方向矢視図である。
【図１０】切削機に用いる角度検出器を示す概要図である。
【図１１】コンクリート管路の内壁面を切削する前の状態と切削した後の状態を示す縦断面図である。
【図１２】装置発進側の立坑の台枠で油圧パワーユニットや制御盤を搭載した台車を組立て、組立てた台車を下水の流れているコンクリート管路へ発進する状態を示す側面図である。
【図１３】装置発進側立坑の台枠で切削機を組立て、組立てた切削機を下水の流れているコンクリート管路へ搬入する状態を示す側面図である。
【図１４】装置到達側の立坑の台枠に油圧パワーユニットや制御盤を搭載した台車を解体のために回収した状態を示す側面図である。
【図１５】装置到達側の立坑の台枠に解体のために切削機を回収した状態を示す側面図である。
【符号の説明】
１    コンクリート管路
２    下水（流水）
３    立坑
４    立坑
９    架台
１０  架台
１３  台枠
１４  台枠
１８  切削機
２０  回収箱
２１  切削屑
２３  回収箱
２５  吸引ホース（管路）
２６  排水管（水をコンクリート管路へ戻す手段）
２７  開閉弁（水をコンクリート管路へ戻す手段）
Ａ    装置発進側
Ｂ    装置到達側
【図１】
0004009037.tif 000002
【図２】
0004009037.tif 000003
【図３】
0004009037.tif 000004
【図４】
0004009037.tif 000005
【図５】
0004009037.tif 000006
【図６】
0004009037.tif 000007
【図７】
0004009037.tif 000008
【図８】
0004009037.tif 000009
【図９】
0004009037.tif 000010
【図１０】
0004009037.tif 000011
【図１１】
0004009037.tif 000012
【図１２】
0004009037.tif 000013
【図１３】
0004009037.tif 000014
【図１４】
0004009037.tif 000015
【図１５】
0004009037.tif 000016